(57)【要約】【課題】冷媒が循環していない熱交換器における冷媒の溜まり込みを防止し、正常な運転を継続し得るようにする。【解決手段】複数台の圧縮機（２Ａ，２Ｃ）を備えた圧縮機構（２Ｄ，２Ｅ）及び室外熱交換器（４）を有する室外ユニット（１Ａ）と、室内熱交換器（４１）を有する室内ユニット（１Ｂ）と、冷蔵熱交換器（４５）を有する冷蔵ユニット（１Ｃ）とが接続された冷媒回路（１Ｅ）を備えている。冷却運転時に室内熱交換器（４１）が冷房運転を停止した状態で、圧縮機構（２Ｄ，２Ｅ）の吸入側の低圧冷媒圧力が予め設定された上限値より上昇すると、停止中の圧縮機（２Ｃ）を起動して冷媒回収を行う。また、暖房運転時における圧縮機構（２Ｄ，２Ｅ）の吸入側の低圧冷媒圧力が予め設定された上限値より上昇すると、停止中の圧縮機（２Ｃ）を起動して冷媒回収を行う。【選択図】  図１
2004347259.tif 000002
【特許請求の範囲】
【請求項１】
複数台の圧縮機（２Ａ，２Ｃ）を備えた圧縮機構（２Ｄ，２Ｅ）及び熱源側熱交換器（４）を有する熱源系統（１Ａ）と、室内熱交換器（４１）を有する空調系統（１Ｂ）と、冷却熱交換器（４５）を有する冷却系統（１Ｃ）とが接続された冷媒回路（１Ｅ）を備え、
上記圧縮機構（２Ｄ，２Ｅ）から吐出された冷媒が熱源側熱交換器（４）で凝縮した後に冷却熱交換器（４５）で蒸発するか又は室内熱交換器（４１）及び冷却熱交換器（４５）で蒸発して圧縮機構（２Ｄ，２Ｅ）に戻る冷却運転を少なくとも行う冷凍装置であって、
上記冷却運転時に室内熱交換器（４１）が冷房運転を停止した状態で、圧縮機構（２Ｄ，２Ｅ）の吸入側の低圧冷媒圧力が予め設定された上限値より上昇すると、吸込側が上記室内熱交換器（４１）に接続されている停止中の圧縮機（２Ｃ）を起動して冷媒回収を行う冷却回収手段（８１）を備えていることを特徴とする冷凍装置。
【請求項２】
複数台の圧縮機（２Ａ，２Ｃ）を備えた圧縮機構（２Ｄ，２Ｅ）及び熱源側熱交換器（４）を有する熱源系統（１Ａ）と、室内熱交換器（４１）を有する空調系統（１Ｂ）と、冷却熱交換器（４５）を有する冷却系統（１Ｃ）とが接続された冷媒回路（１Ｅ）を備え、
上記圧縮機構（２Ｄ，２Ｅ）から吐出された冷媒が室内熱交換器（４１）で凝縮した後に冷却熱交換器（４５）で蒸発して圧縮機構（２Ｄ，２Ｅ）に戻る暖房運転を少なくとも行う冷凍装置であって、
上記暖房運転時における圧縮機構（２Ｄ，２Ｅ）の吸入側の低圧冷媒圧力が予め設定された上限値より上昇すると、吸込側が上記熱源側熱交換器（４）に接続されている停止中の圧縮機（２Ｃ）を起動して冷媒回収を行う暖房回収手段（８２）を備えていることを特徴とする冷凍装置。
【請求項３】
請求項１において、
上記圧縮機構（２Ｄ，２Ｅ）から吐出された冷媒が室内熱交換器（４１）で凝縮した後に冷却熱交換器（４５）で蒸発して圧縮機構（２Ｄ，２Ｅ）に戻る暖房運転を行うように構成される一方、
上記暖房運転時における圧縮機構（２Ｄ，２Ｅ）の吸入側の低圧冷媒圧力が予め設定された上限値より上昇すると、吸込側が上記熱源側熱交換器（４）に接続されている停止中の圧縮機（２Ｃ）を起動して冷媒回収を行う暖房回収手段（８２）を備えていることを特徴とする冷凍装置。
【請求項４】
請求項２又は３において、
上記熱源側熱交換器（４）は、室外空気と冷媒とを熱交換器する室外熱交換器で構成され、
上記暖房回収手段（８２）は、室外空気温度相当飽和圧力に基づく判断基準を含む上限値より低圧冷媒圧力が上昇すると、冷媒回収を行うように構成されていることを特徴とする冷凍装置。
【請求項５】
請求項１において、
上記冷却回収手段（８１）は、圧縮機構（２Ｄ，２Ｅ）の吸入側の低圧冷媒圧力が予め設定された下限値より低下すると、冷媒回収を終了するように構成されていることを特徴とする冷凍装置。
【請求項６】
請求項２又は３において、
上記暖房回収手段（８２）は、圧縮機構（２Ｄ，２Ｅ）の吸入側の低圧冷媒圧力が予め設定された下限値より低下すると、冷媒回収を終了するように構成されていることを特徴とする冷凍装置。
【発明の詳細な説明】
【０００１】
【発明の属する技術分野】
本発明は、冷凍装置に関し、特に、冷媒回収対策に係るものである。
【０００２】
【従来の技術】
従来より、冷凍サイクルを行う冷凍装置が知られており、室内を冷暖房する空調機や、食品等を貯蔵する冷蔵庫又は冷凍庫等の冷却機として広く利用されている。この冷凍装置には、空調と冷却の両方を行うものがある（例えば、特許文献１参照）。この種の冷凍装置は、例えば、空調用と冷却用の２系統の利用側熱交換器を備え、コンビニエンスストア等に設置されている。
【０００３】
上記特許文献１の冷凍装置では、各利用側熱交換器の動作状況に応じて圧縮機容量を幅広く変化させるために、３台の圧縮機を組み合わせて冷媒回路の圧縮機構を構成している。そして、この冷凍装置においては、圧縮機を３つとも冷却側と空調側の一方に用いることや、２つと１つ、あるいは１つずつを冷却側と空調側に分けて用いることにより、３つの圧縮機を様々なパターンで組み合わせた運転をすることが可能になっている。
【０００４】
【特許文献１】
特開２００２−３５７３７４号公報
【０００５】
【発明が解決しようとする課題】
上述したように、従来の冷凍装置は、各種の運転を行うことができるものの、冷媒不足については何ら考慮されていないという問題があった。
【０００６】
つまり、冷媒が循環していない熱交換器が存在することがあり、この熱交換器に冷媒が溜まり込み、冷媒不足が生じるという問題があった。特に、冷媒充填量を少なくし、省冷媒化を図るようにすると、冷媒が循環していない熱交換器に僅かに冷媒が溜まり込むのみで冷媒不足となり、正常な運転を継続することができないという問題があった。
【０００７】
本発明は、斯かる点に鑑みて成されたもので、冷媒が循環していない熱交換器における冷媒の溜まり込みを防止し、正常な運転を継続し得るようにすることを目的とするものである。
【０００８】
【課題を解決するための手段】
具体的に、図１に示すように、請求項１に係る発明は、複数台の圧縮機（２Ａ，２Ｃ）を備えた圧縮機構（２Ｄ，２Ｅ）及び熱源側熱交換器（４）を有する熱源系統（１Ａ）と、室内熱交換器（４１）を有する空調系統（１Ｂ）と、冷却熱交換器（４５）を有する冷却系統（１Ｃ）とが接続された冷媒回路（１Ｅ）を備え、上記圧縮機構（２Ｄ，２Ｅ）から吐出された冷媒が熱源側熱交換器（４）で凝縮した後に冷却熱交換器（４５）で蒸発するか又は室内熱交換器（４１）及び冷却熱交換器（４５）で蒸発して圧縮機構（２Ｄ，２Ｅ）に戻る冷却運転を少なくとも行う冷凍装置を対象としている。そして、上記冷却運転時に室内熱交換器（４１）が冷房運転を停止した状態で、圧縮機構（２Ｄ，２Ｅ）の吸入側の低圧冷媒圧力が予め設定された上限値より上昇すると、吸込側が上記室内熱交換器（４１）に接続されている停止中の圧縮機（２Ｃ）を起動して冷媒回収を行う冷却回収手段（８１）を備えている。
【０００９】
すなわち、請求項１に係る発明では、冷却運転時に室内熱交換器（４１）が冷房運転を停止した状態において、室内熱交換器（４１）に冷媒が溜まり込む場合がある。この場合、循環する冷媒が不足するので、圧縮機構（２Ｄ，２Ｅ）の吸入側の低圧冷媒圧力が上昇する。このため、低圧冷媒圧力が予め設定された上限値より上昇すると、上記室内熱交換器（４１）に吸入側が接続されている停止中の圧縮機（２Ｃ）を起動し、室内熱交換器（４１）に溜まり込んだ冷媒を回収する。
【００１０】
また、請求項２に係る発明は、複数台の圧縮機（２Ａ，２Ｃ）を備えた圧縮機構（２Ｄ，２Ｅ）及び熱源側熱交換器（４）を有する熱源系統（１Ａ）と、室内熱交換器（４１）を有する空調系統（１Ｂ）と、冷却熱交換器（４５）を有する冷却系統（１Ｃ）とが接続された冷媒回路（１Ｅ）を備え、上記圧縮機構（２Ｄ，２Ｅ）から吐出された冷媒が室内熱交換器（４１）で凝縮した後に冷却熱交換器（４５）で蒸発して圧縮機構（２Ｄ，２Ｅ）に戻る暖房運転を少なくとも行う冷凍装置を対象としている。そして、上記暖房運転時における圧縮機構（２Ｄ，２Ｅ）の吸入側の低圧冷媒圧力が予め設定された上限値より上昇すると、吸込側が上記熱源側熱交換器（４）に接続されている停止中の圧縮機（２Ｃ）を起動して冷媒回収を行う暖房回収手段（８２）を備えている。
【００１１】
また、請求項３に係る発明は、請求項１に係る発明において、上記圧縮機構（２Ｄ，２Ｅ）から吐出された冷媒が室内熱交換器（４１）で凝縮した後に冷却熱交換器（４５）で蒸発して圧縮機構（２Ｄ，２Ｅ）に戻る暖房運転を行うように構成される一方、上記暖房運転時における圧縮機構（２Ｄ，２Ｅ）の吸入側の低圧冷媒圧力が予め設定された上限値より上昇すると、吸込側が上記熱源側熱交換器（４）に接続されている停止中の圧縮機（２Ｃ）を起動して冷媒回収を行う暖房回収手段（８２）を備えている。
【００１２】
すなわち、請求項２又は請求項３に係る発明では、暖房運転時に熱源側熱交換器（４）に冷媒が循環しないので、この熱源側熱交換器（４）に冷媒が溜まり込む場合がある。この場合、循環する冷媒が不足するので、圧縮機構（２Ｄ，２Ｅ）の吸入側の低圧冷媒圧力が上昇する。このため、低圧冷媒圧力が予め設定された上限値より上昇すると、上記熱源側熱交換器（４）に吸入側が接続されている停止中の圧縮機（２Ｃ）を起動し、熱源側熱交換器（４）に溜まり込んだ冷媒を回収する。
【００１３】
また、請求項４に係る発明は、請求項２又は請求項３に係る発明において、上記熱源側熱交換器（４）は、室外空気と冷媒とを熱交換器する室外熱交換器で構成され、上記暖房回収手段（８２）は、室外空気温度相当飽和圧力に基づく判断基準を含む上限値より低圧冷媒圧力が上昇すると、冷媒回収を行うように構成されている。
【００１４】
すなわち、請求項４に係る発明では、冷媒が熱源側熱交換器（４）に溜まり込む条件が室外空気温度によって異なることから、室外空気温度を加味して冷媒回収を行うことになる。
【００１５】
また、請求項５に係る発明は、請求項１に係る発明において、上記冷却回収手段（８１）は、圧縮機構（２Ｄ，２Ｅ）の吸入側の低圧冷媒圧力が予め設定された下限値より低下すると、冷媒回収を終了するように構成されている。
【００１６】
また、請求項６に係る発明は、請求項２又は請求項３に係る発明において、上記暖房回収手段（８２）は、圧縮機構（２Ｄ，２Ｅ）の吸入側の低圧冷媒圧力が予め設定された下限値より低下すると、冷媒回収を終了するように構成されている。
【００１７】
すなわち、請求項５又は請求項６に係る発明では、冷媒不足が解消すると、低圧冷媒圧力が低下するので、下限値まで低下すると、冷媒回収を終了する。
【００１８】
【発明の実施の形態】
以下、本発明の実施形態を図面に基づいて詳細に説明する。
【００１９】
図１に示すように、本実施形態に係る冷凍装置（１）は、コンビニエンスストアに設けられ、ショーケースの冷却と店内の冷房及び暖房とを行うためのものである。
【００２０】
上記冷凍装置（１）は、熱源系統である室外ユニット（１Ａ）と空調系統である室内ユニット（１Ｂ）と冷却系統である冷蔵ユニット（１Ｃ）と冷却系統である冷凍ユニット（１Ｄ）とを有し、蒸気圧縮式冷凍サイクルを行う冷媒回路（１Ｅ）を備えている。この冷媒回路（１Ｅ）は、冷蔵及び冷凍用の第１系統側回路と、空調用の第２系統側回路とを備えている。上記冷媒回路（１Ｅ）は、冷房サイクルと暖房サイクルとに切り換わるように構成されている。
【００２１】
上記室内ユニット（１Ｂ）は、冷房運転と暖房運転とを切り換えて行うように構成され、例えば、売場などに設置される。また、上記冷蔵ユニット（１Ｃ）は、冷蔵用のショーケースに設置されて該ショーケースの庫内空気を冷却する。上記冷凍ユニット（１Ｄ）は、冷凍用のショーケースに設置されて該ショーケースの庫内空気を冷却する。
【００２２】
〈室外ユニット〉
上記室外ユニット（１Ａ）は、インバータ圧縮機（２Ａ）と第１ノンインバータ圧縮機（２Ｂ）と第２ノンインバータ圧縮機（２Ｃ）との３台の圧縮機を備えると共に、第１四路切換弁（３Ａ）、第２四路切換弁（３Ｂ）、及び第３四路切換弁（３Ｃ）と、熱源側熱交換器である室外熱交換器（４）とを備えている。
【００２３】
上記各圧縮機（２Ａ，２Ｂ，２Ｃ）は、例えば、密閉型の高圧ドーム型スクロール圧縮機で構成されている。上記インバータ圧縮機（２Ａ）は、電動機がインバータ制御されて容量が段階的又は連続的に可変となる可変容量圧縮機である。上記第１ノンインバータ圧縮機（２Ｂ）及び第２ノンインバータ圧縮機（２Ｃ）は、電動機が常に一定回転数で駆動する定容量圧縮機である。
【００２４】
上記インバータ圧縮機（２Ａ）と第１ノンインバータ圧縮機（２Ｂ）と第２ノンインバータ圧縮機（２Ｃ）は、この冷凍装置（１）の圧縮機構（２Ｄ，２Ｅ）を構成し、該圧縮機構（２Ｄ，２Ｅ）は、第１系統の圧縮機構（２Ｄ）と第２系統の圧縮機構（２Ｅ）とから構成されている。具体的に、圧縮機構（２Ｄ，２Ｅ）は、運転時に、上記インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する場合と、上記インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する場合とがある。つまり、インバータ圧縮機（２Ａ）が冷蔵及び冷凍用の第１系統側回路に、第２ノンインバータ圧縮機（２Ｃ）が空調用の第２系統側回路に固定的に用いられる一方、第１ノンインバータ圧縮機（２Ｂ）は第１系統側回路と第２系統側回路に切り換えて用いることができるようになっている。
【００２５】
上記インバータ圧縮機（２Ａ）、第１ノンインバータ圧縮機（２Ｂ）及び第２ノンインバータ圧縮機（２Ｃ）の各吐出管（５ａ，５ｂ，５ｃ）は、１つの高圧ガス管（吐出配管）（８）に接続され、該高圧ガス管（８）が第１四路切換弁（３Ａ）の１つのポートに接続されている。上記第１ノンインバータ圧縮機（２Ｂ）の吐出管（５ｂ）及び第２ノンインバータ圧縮機（２Ｃ）の吐出管（５ｃ）には、それぞれ逆止弁（７）が設けられている。
【００２６】
上記室外熱交換器（４）のガス側端部は、室外ガス管（９）によって第１四路切換弁（３Ａ）の１つのポートに接続されている。上記室外熱交換器（４）の液側端部には、液ラインである液管（１０）の一端が接続されている。該液管（１０）の途中には、レシーバ（１４）が設けられ、液管（１０）の他端は、第１連絡液管（１１）と第２連絡液管（１２）とに分岐されている。
【００２７】
尚、上記室外熱交換器（４）は、例えば、クロスフィン式のフィン・アンド・チューブ型熱交換器であって、熱源ファンである室外ファン（４Ｆ）が近接して配置されている。
【００２８】
上記第１四路切換弁（３Ａ）の１つのポートには、連絡ガス管（１７）が接続されている。上記第１四路切換弁（３Ａ）の１つのポートは、接続管（１８）によって第２四路切換弁（３Ｂ）の１つのポートに接続されている。該第２四路切換弁（３Ｂ）の１つのポートは、補助ガス管（１９）によって第２ノンインバータ圧縮機（２Ｃ）の吐出管（５ｃ）に接続されている。また、第２四路切換弁（３Ｂ）の１つのポートは、第２ノンインバータ圧縮機（２Ｃ）の吸入管（６ｃ）が接続されている。尚、上記第２四路切換弁（３Ｂ）の１つのポートは、閉塞された閉鎖ポートに構成されている。つまり、上記第２四路切換弁（３Ｂ）は、三路切換弁であってもよい。
【００２９】
上記第１四路切換弁（３Ａ）は、高圧ガス管（８）と室外ガス管（９）とが連通し且つ接続管（１８）と連絡ガス管（１７）とが連通する第１状態（図１実線参照）と、高圧ガス管（８）と連絡ガス管（１７）とが連通し、且つ接続管（１８）と室外ガス管（９）とが連通する第２状態（図１破線参照）とに切り換わるように構成されている。
【００３０】
また、上記第２四路切換弁（３Ｂ）は、補助ガス管（１９）と閉鎖ポートとが連通し、且つ接続管（１８）と第２ノンインバータ圧縮機（２Ｃ）の吸入管（６ｃ）とが連通する第１状態（図１実線参照）と、補助ガス管（１９）と接続管（１８）とが連通し、且つ吸入管（６ｃ）と閉塞ポートとが連通する第２状態（図１破線参照）とに切り換わるように構成されている。
【００３１】
上記インバータ圧縮機（２Ａ）の吸入管（６ａ）は、第１系統側回路の低圧ガス管（１５）に接続されている。第２ノンインバータ圧縮機（２Ｃ）の吸入管（６ｃ）は、第１，第２四路切換弁（３Ａ，３Ｂ）を介して第２系統側回路の低圧ガス管（連絡ガス管（１７）または室外ガス管（９））に接続されている。また、第１ノンインバータ圧縮機（２Ｂ）の吸入管（６ｂ）は、後述の第３四路切換弁（３Ｃ）を介してインバータ圧縮機（２Ａ）の吸入管（６ａ）及び第２ノンインバータ圧縮機（２Ｃ）の吸入管（６ｃ）に接続されている。
【００３２】
具体的には、インバータ圧縮機（２Ａ）の吸入管（６ａ）には分岐管（６ｄ）が接続され、第２ノンインバータ圧縮機（２Ｃ）の吸入管（６ｃ）には分岐管（６ｅ）が接続されている。そして、インバータ圧縮機（２Ａ）の吸入管（６ａ）の分岐管（６ｄ）が逆止弁（７）を介して第３四路切換弁（３Ｃ）の第１ポート（Ｐ１）に接続され、第１ノンインバータ圧縮機（２Ｂ）の吸入管（６ｂ）が第３四路切換弁（３Ｃ）の第２ポート（Ｐ２）に接続され、第２ノンインバータ圧縮機（２Ｃ）の吸入管（６ｃ）の分岐管（６ｅ）が逆止弁（７）を介して第３四路切換弁（３Ｃ）の第３ポート（Ｐ３）に接続されている。また、第３四路切換弁（３Ｃ）の第４ポート（Ｐ４）には、後述する液封防止管（２８）の分岐管（２８ａ）が接続されている。上記分岐管（６ｄ，６ｅ）に設けられている逆止弁は、第３四路切換弁（３Ｃ）へ向かう冷媒流れのみを許容するものである。
【００３３】
上記第３四路切換弁（３Ｃ）は、第１ポート（Ｐ１）と第２ポート（Ｐ２）が連通し、第３ポート（Ｐ３）と第４ポート（Ｐ４）が連通する第１の状態（図の実線参照）と、第１ポート（Ｐ１）と第４ポート（Ｐ４）が連通し、第２ポート（Ｐ２）と第３ポート（Ｐ３）が連通する第２の状態（図の破線参照）とに切り換え可能に構成されている。
【００３４】
上記各吐出管（５ａ，５ｂ，５ｃ）と高圧ガス管（８）と室外ガス管（９）とが冷房運転時の高圧ガスライン（１Ｌ）を構成している。また、上記各吐出管（５ａ，５ｂ，５ｃ）と高圧ガス管（８）と連絡ガス管（１７）とが暖房運転時の高圧ガスライン（１Ｎ）を構成している。一方、上記低圧ガス管（１５）と第１系統の圧縮機構（２Ｄ）の各吸入管（６ａ，６ｂ）が第１の低圧ガスライン（１Ｍ）を構成している。また、上記連絡ガス管（１７）と第２系統の圧縮機構（２Ｅ）の吸入管（６ｃ）が冷房運転時の低圧ガスライン（１Ｎ）を構成し、室外ガス管（９）と該吸入管（６ｃ）が暖房運転時の低圧ガスライン（１Ｌ）を構成している。
【００３５】
上記第１連絡液管（１１）と第２連絡液管（１２）と連絡ガス管（１７）と低圧ガス管（１５）とは、室外ユニット（１Ａ）から外部に延長され、室外ユニット（１Ａ）内にはこれらに対応して閉鎖弁（２０）が設けられている。さらに、上記第２連絡液管（１２）は、液管（１０）からの分岐側端部に逆止弁（７）が設けられ、レシーバ（１４）から閉鎖弁（２０）に向かって冷媒が流れるように構成されている。
【００３６】
上記液管（１０）には、レシーバ（１４）をバイパスする補助液管（２５）が接続されている。該補助液管（２５）は、主として暖房時に冷媒が流れ、膨張機構である室外膨張弁（２６）が設けられている。上記液管（１０）における室外熱交換器（４）とレシーバ（１４）との間には、レシーバ（１４）に向かう冷媒流れのみを許容する逆止弁（７）が設けられている。該逆止弁（７）は、液管（１０）における補助液管（２５）の接続部とレシーバ（１４）との間に位置している。
【００３７】
上記液管（１０）は、この逆止弁（７）とレシーバ（１４）との間で分岐して（分岐液管（３６）という）、該分岐液管（３６）が、上記第２液管（１２）における閉鎖弁（２０）と逆止弁（７）との間に接続されている。該分岐液管（３６）には、第２液管（１２）からレシーバ（１４）へ向かう冷媒流れのみを許容する逆止弁（７）が設けられている。
【００３８】
上記補助液管（２５）と低圧ガス管（１５）との間には、リキッドインジェクション管（２７）が接続されている。該リキッドインジェクション管（２７）には、電子膨張弁（２９）が設けられている。また、このリキッドインジェクション管（２７）における補助液管（２５）との接続点と電子膨張弁（２９）の間と、高圧ガス管（８）とに、液封防止管（２８）が接続されている。この液封防止管（２８）には、リキッドインジェクション管（２７）から高圧ガス管（８）へ向かう冷媒流れのみを許容する逆止弁（７）が設けられている。また、上述したように、この液封防止管（２８）の分岐管（２８ａ）は上記第３四路切換弁（３Ｃ）の第４ポート（Ｐ４）に接続されている。
【００３９】
上記高圧ガス管（８）には、オイルセパレータ（３０）が設けられている。該オイルセパレータ（３０）には、油戻し管（３１）の一端が接続されている。該油戻し管（３１）は、他端が第１油戻し管（３１ａ）と第２油戻し管（３１ｂ）に分岐している。第１油戻し管（３１ａ）は、電磁弁（ＳＶ０）が設けられ、リキッドインジェクション管（２７）を介してインバータ圧縮機（２Ａ）の吸入管（６ａ）に接続されている。また、第２油戻し管（３１ｂ）は、電磁弁（ＳＶ４）が設けられ、第２ノンインバータ圧縮機（２Ｃ）の吸入管（６ｃ）に接続されている。
【００４０】
上記インバータ圧縮機（２Ａ）のドーム（油溜まり）と第１ノンインバータ圧縮機（２Ｂ）の吸入管（６ｂ）との間には、第１均油管（３２）が接続されている。上記第１ノンインバータ圧縮機（２Ｂ）のドームと第２ノンインバータ圧縮機（２Ｃ）の吸入管（６ｃ）との間には、第２均油管（３３）が接続されている。上記第２ノンインバータ圧縮機（２Ｃ）のドームとインバータ圧縮機（２Ａ）の吸入管（６ａ）との間には、第３均油管（３４）が接続されている。第１均油管（３２）、第２均油管（３３）、及び第３均油管（３４）には、それぞれ、開閉機構として電磁弁（ＳＶ１，ＳＶ２，ＳＶ３）が設けられている。また、第２均油管（３３）は、第１ノンインバータ圧縮機（２Ｂ）のドームと電磁弁（ＳＶ２）との間で第４均油管（３５）に分岐している。第４均油管（３５）は、電磁弁（ＳＶ５）が設けられ、第１圧縮機（２Ａ）の吸入管（６ａ）に合流している。
【００４１】
〈室内ユニット〉
上記室内ユニット（１Ｂ）は、利用側熱交換器である室内熱交換器（４１）と膨張機構である室内膨張弁（４２）とを備えている。室内膨張弁（４２）には電子膨張弁が用いられている。上記室内熱交換器（４１）のガス側は、連絡ガス管（１７）が接続されている。一方、上記室内熱交換器（４１）の液側は、室内膨張弁（４２）を介して第２連絡液管（１２）が接続されている。尚、上記室内熱交換器（４１）は、例えば、クロスフィン式のフィン・アンド・チューブ型熱交換器であって、利用側ファンである室内ファン（４３）が近接して配置されている。
【００４２】
〈冷蔵ユニット〉
上記冷蔵ユニット（１Ｃ）は、冷却熱交換器である冷蔵熱交換器（４５）と膨張機構である冷蔵膨張弁（４６）とを備えている。冷蔵膨張弁（４６）には電子膨張弁が用いられている。上記冷蔵熱交換器（４５）の液側は、冷蔵膨張弁（４６）を介して第１連絡液管（１１）が接続されている。一方、上記冷蔵熱交換器（４５）のガス側は、低圧ガス管（１５）が接続されている。
【００４３】
上記冷蔵熱交換器（４５）は、第１系統の圧縮機構（２Ｄ）の吸込側に連通する一方、上記室内熱交換器（４１）は、冷房運転時に第２ノンインバータ圧縮機（２Ｃ）の吸込側に連通している。上記冷蔵熱交換器（４５）の冷媒圧力（蒸発圧力）は室内熱交換器（４１）の冷媒圧力（蒸発圧力）より低くなる。この結果、上記冷蔵熱交換器（４５）の冷媒蒸発温度は、例えば、−１０℃となり、室内熱交換器（４１）の冷媒蒸発温度は、例えば、＋５℃となって冷媒回路（１Ｅ）が異温度蒸発の回路を構成している。
【００４４】
尚、上記冷蔵熱交換器（４５）は、例えば、クロスフィン式のフィン・アンド・チューブ型熱交換器であって、冷却ファンである冷蔵ファン（４７）が近接して配置されている。
【００４５】
〈冷凍ユニット〉
上記冷凍ユニット（１Ｄ）は、冷却熱交換器である冷凍熱交換器（５１）と膨張機構である冷凍膨張弁（５２）と冷凍圧縮機であるブースタ圧縮機（５３）とを備えている。冷凍膨張弁（５２）には電子膨張弁が用いられている。上記冷凍熱交換器（５１）の液側は、第１連絡液管（１１）より分岐した分岐液管（１３）が冷凍膨張弁（５２）を介して接続されている。
【００４６】
上記冷凍熱交換器（５１）のガス側とブースタ圧縮機（５３）の吸込側とは、接続ガス管（５４）によって接続されている。該ブースタ圧縮機（５３）の吐出側には、低圧ガス管（１５）より分岐した分岐ガス管（１６）が接続されている。該分岐ガス管（１６）には、逆止弁（７）とオイルセパレータ（５５）とが設けられている。
該オイルセパレータ（５５）と接続ガス管（５４）との間には、キャピラリチューブ（５６）を有する油戻し管（５７）が接続されている。
【００４７】
上記ブースタ圧縮機（５３）は、冷凍熱交換器（５１）の冷媒蒸発温度が冷蔵熱交換器（４５）の冷媒蒸発温度より低くなるように第１系統の圧縮機構（２Ｄ）との間で冷媒を２段圧縮している。上記冷凍熱交換器（５１）の冷媒蒸発温度は、例えば、−４０℃に設定されている。
【００４８】
尚、上記冷凍熱交換器（５１）は、例えば、クロスフィン式のフィン・アンド・チューブ型熱交換器であって、冷却ファンである冷凍ファン（５８）が近接して配置されている。
【００４９】
また、上記ブースタ圧縮機（５３）の吸込側である接続ガス管（５４）とブースタ圧縮機（５３）の吐出側である分岐ガス管（１６）の逆止弁（７）の下流側との間には、逆止弁（７）を有するバイパス管（５９）が接続されている。該バイパス管（５９）は、ブースタ圧縮機（５３）の故障等の停止時に該ブースタ圧縮機（５３）をバイパスして冷媒が流れるように構成されている。
【００５０】
〈制御系統〉
上記冷媒回路（１Ｅ）には、各種センサ及び各種スイッチが設けられている。
上記室外ユニット（１Ａ）の高圧ガス管（８）には、高圧冷媒圧力を検出する圧力検出手段である高圧圧力センサ（６１）と、高圧冷媒温度を検出する温度検出手段である吐出温度センサ（６２）とが設けられている。上記第２ノンインバータ圧縮機（２Ｃ）の吐出管（５ｃ）には、高圧冷媒温度を検出する温度検出手段である吐出温度センサ（６３）が設けられている。また、上記インバータ圧縮機（２Ａ）、第１ノンインバータ圧縮機（２Ｂ）及び第２ノンインバータ圧縮機（２Ｃ）の各吐出管（５ａ，５ｂ，５ｃ）には、それぞれ、高圧冷媒圧力が所定値になると開く圧力スイッチ（６４）が設けられている。
【００５１】
上記低圧ガス管（１５）には、低圧冷媒圧力を検出する圧力検出手段である第１の低圧圧力センサ（６５）が設けられている。上記第２ノンインバータ圧縮機（２Ｃ）の吸入管（６ｃ）には、低圧冷媒圧力を検出する圧力検出手段である第２の低圧圧力センサ（６６）が設けられている。また、上記インバータ圧縮機（２Ａ）及び第２ノンインバータ圧縮機（２Ｃ）の各吸入管（６ａ，６ｃ）には、低圧冷媒温度を検出する温度検出手段である吸入温度センサ（６７，６８）が設けられている。
【００５２】
また、上記室外ユニット（１Ａ）には、室外空気温度を検出する温度検出手段である外気温センサ（７０）が設けられている。
【００５３】
上記室内熱交換器（４１）には、室内熱交換器（４１）における冷媒温度である凝縮温度又は蒸発温度を検出する温度検出手段である室内熱交換センサ（７１）が設けられると共に、ガス側にガス冷媒温度を検出する温度検出手段であるガス温センサ（７２）が設けられている。また、上記室内ユニット（１Ｂ）には、室内空気温度を検出する温度検出手段である室温センサ（７３）が設けられている。
【００５４】
上記冷蔵ユニット（１Ｃ）には、冷蔵用のショーケース内の庫内温度を検出する温度検出手段である冷蔵温度センサ（７４）が設けられている。また、上記冷蔵熱交換器（４５）には、冷蔵熱交換器（４５）における冷媒温度である蒸発温度を検出する温度検出手段としての冷蔵熱交換センサ（７６）が設けられると共に、ガス側にガス温センサ（７７）が設けられている。
【００５５】
上記冷凍ユニット（１Ｄ）には、冷凍用のショーケース内の庫内温度を検出する温度検出手段である冷凍温度センサ（７５）が設けられている。また、上記冷凍熱交換器（５１）には、冷凍熱交換器（５１）における冷媒温度である蒸発温度を検出する温度検出手段としての冷凍熱交換センサ（７８）が設けられると共に、ガス側にガス温センサ（７９）が設けられている。ブースタ圧縮機（５３）の吐出側には、吐出冷媒圧力が所定値になると開く圧力スイッチ（６４）が設けられている。
【００５６】
上記各種センサ及び各種スイッチの出力信号は、コントローラ（８０）に入力される。このコントローラ（８０）は、冷媒回路（１Ｅ）の運転を制御し、後述する８種類の運転モードを切り換えて制御するように構成されている。そして、該コントローラ（８０）は、運転時に、インバータ圧縮機（２Ａ）の起動、停止及び容量制御や、第１ノンインバータ圧縮機（２Ｂ）及び第２ノンインバータ圧縮機（２Ｃ）の起動及び停止、さらには各膨張弁（２６，２９，４２，４６，５２）の開度調節などに関して制御を行うとともに、各四路切換弁（３Ａ，３Ｂ，３Ｃ）の切り換えや、油戻し管（３１ａ，３１ｂ）及び均油管（３２，３３，３４）の電磁弁（ＳＶ０，ＳＶ１，ＳＶ２，ＳＶ３，ＳＶ４）についての開閉操作なども行う。
【００５７】
上記コントローラ（８０）には、例えば、８種類の運転モードを設定して制御することができるように構成されている。具体的には、▲１▼室内ユニット（１Ｂ）の冷房のみを行う冷房運転、▲２▼冷蔵ユニット（１Ｃ）と冷凍ユニット（１Ｄ）の冷却のみを行う冷凍運転、▲３▼室内ユニット（１Ｂ）の冷房と冷蔵ユニット（１Ｃ）及び冷凍ユニット（１Ｄ）の冷却とを同時に行う第１冷房冷凍運転、▲４▼第１冷房冷凍運転時の室内ユニット（１Ｂ）の冷房能力が不足した場合の運転である第２冷房冷凍運転、▲５▼室内ユニット（１Ｂ）の暖房のみを行う暖房運転、▲６▼室内ユニット（１Ｂ）の暖房と冷蔵ユニット（１Ｃ）及び冷凍ユニット（１Ｄ）の冷却を室外熱交換器（４）を用いずに熱回収運転で行う第１暖房冷凍運転、▲７▼第１暖房冷凍運転時に室内ユニット（１Ｂ）の暖房能力が余る暖房の能力過剰運転である第２暖房冷凍運転、そして▲８▼第１暖房冷凍運転時に室内ユニット（１Ｂ）の暖房能力が不足する暖房の能力不足運転である第３暖房冷凍運転が可能に構成されている。
【００５８】
上記コントローラ（８０）には、冷却回収手段（８１）及び暖房回収手段（８２）が設けられている。
【００５９】
上記冷却回収手段（８１）は、冷却運転である冷凍運転の状態又は冷却運転である第１冷房冷凍運転時に室内熱交換器（４１）が冷房運転を停止した状態（状態▲２▼参照）で、第１の低圧圧力センサ（６５）が検出する圧縮機構（２Ｄ，２Ｅ）の吸入側の低圧冷媒圧力が予め設定された上限値より上昇すると、吸込側が上記室内熱交換器（４１）に接続されている停止中の第２ノンインバータ圧縮機（２Ｅ）を起動して冷媒回収を行うように構成されている。
【００６０】
更に、上記冷却回収手段（８１）は、圧縮機構（２Ｄ，２Ｅ）の吸入側の低圧冷媒圧力が予め設定された下限値より低下すると、冷媒回収を終了するように構成されている。
【００６１】
上記暖房回収手段（８２）は、暖房運転である第１暖房冷凍運転時において、第１の低圧圧力センサ（６５）が検出する圧縮機構（２Ｄ，２Ｅ）の吸入側の低圧冷媒圧力が予め設定された上限値より上昇すると、吸込側が上記室外熱交換器（４）に接続されている停止中の第２ノンインバータ圧縮機（２Ｅ）を起動して冷媒回収を行うように構成されている。特に、上記暖房回収手段（８２）は、外気温センサ（７０）が検出した外気温度の飽和圧力である室外空気温度相当飽和圧力に基づく判断基準を含む上限値より低圧冷媒圧力が上昇すると、冷媒回収を行うように構成されている。
【００６２】
更に、上記暖房回収手段（８２）は、圧縮機構（２Ｄ，２Ｅ）の吸入側の低圧冷媒圧力が予め設定された下限値より低下すると、冷媒回収を終了するように構成されている。
【００６３】
−運転動作−
次に、上記冷凍装置（１）が行う運転動作について各運転毎に説明する。具体的に、▲１▼冷房運転、▲２▼冷凍運転、▲３▼第１冷房冷凍運転、▲４▼第２冷房冷凍運転、▲５▼暖房運転、▲６▼第１暖房冷凍運転、▲７▼第２暖房冷凍運転、▲８▼第３暖房冷凍運転の動作について順に説明する。
【００６４】
〈冷房運転〉
この冷房運転は、室内ユニット（１Ｂ）の冷房のみを行う運転である。この冷房運転時は、図２に示すように、インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する。そして、上記第２系統の圧縮機構（２Ｅ）である第１ノンインバータ圧縮機（２Ｂ）及び第２ノンインバータ圧縮機（２Ｃ）のみを駆動する。
【００６５】
また、図２の実線で示すように、第１四路切換弁（３Ａ）及び第２四路切換弁（３Ｂ）はそれぞれ第１の状態に切り換わり、第３四路切換弁（３Ｃ）は第２の状態に切り換わる。また、室外膨張弁（２６）、冷蔵膨張弁（４６）及び冷凍膨張弁（５２）は閉鎖している。
【００６６】
この状態において、第１ノンインバータ圧縮機（２Ｂ）及び第２ノンインバータ圧縮機（２Ｃ）から吐出した冷媒は、第１四路切換弁（３Ａ）から室外ガス管（９）を経て室外熱交換器（４）に流れて凝縮する。凝縮した液冷媒は、液管（１０）を流れ、レシーバ（１４）を経て第２連絡液管（１２）を流れ、さらに室内膨張弁（４２）を経て室内熱交換器（４１）に流れて蒸発する。蒸発したガス冷媒は、連絡ガス管（１７）から第１四路切換弁（３Ａ）及び第２四路切換弁（３Ｂ）を経て第２ノンインバータ圧縮機（２Ｃ）の吸入管（６ｃ）を流れる。この低圧のガス冷媒の一部は第２ノンインバータ圧縮機（２Ｃ）に戻り、ガス冷媒の他の一部は第２ノンインバータ圧縮機（２Ｃ）の吸入管（６ｃ）から分岐管（６ｅ）に分流し、第３四路切換弁（３Ｃ）を通って第１ノンインバータ圧縮機（２Ｂ）に戻る。冷媒が以上の循環を繰り返すことで、店内の冷房が行われる。
【００６７】
なお、この運転状態では、室内の冷房負荷に応じて、第１ノンインバータ圧縮機（２Ｂ）と第２ノンインバータ圧縮機（２Ｃ）の起動と停止や、室内膨張弁（４２）の開度などが制御される。圧縮機（２Ｂ、２Ｃ）は１台のみを運転することも可能である。
【００６８】
〈冷凍運転〉
冷凍運転は、冷蔵ユニット（１Ｃ）と冷凍ユニット（１Ｄ）の冷却のみを行う運転である。この冷凍運転時は、図３に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記第１系統の圧縮機構（２Ｄ）であるインバータ圧縮機（２Ａ）及び第１ノンインバータ圧縮機（２Ｂ）を駆動すると共に、ブースタ圧縮機（５３）も駆動する一方、第２ノンインバータ圧縮機（２Ｃ）は停止している。
【００６９】
また、図３の実線で示すように、第１四路切換弁（３Ａ）及び第２四路切換弁（３Ｂ）は第１の状態に切り換わり、第３四路切換弁（３Ｃ）も第１の状態に切り換わる。さらに、冷蔵膨張弁（４６）及び冷凍膨張弁（５２）が所定開度に開口される一方、室外膨張弁（２６）及び室内膨張弁（４２）が閉鎖している。
【００７０】
この状態において、インバータ圧縮機（２Ａ）及び第１ノンインバータ圧縮機（２Ｂ）から吐出した冷媒は、第１四路切換弁（３Ａ）から室外ガス管（９）を経て室外熱交換器（４）に流れて凝縮する。凝縮した液冷媒は、液管（１０）を流れ、レシーバ（１４）を経て第１連絡液管（１１）を流れ、一部が冷蔵膨張弁（４６）を経て冷蔵熱交換器（４５）に流れて蒸発する。
【００７１】
一方、第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００７２】
上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。冷媒が以上の循環を繰り返すことで、冷蔵用ショーケースと冷凍用ショーケースの庫内が冷却される。
【００７３】
上記冷凍熱交換器（５１）における冷媒圧力は、ブースタ圧縮機（５３）で吸引されるので、冷蔵熱交換器（４５）における冷媒圧力より低圧となる。この結果、例えば、上記冷凍熱交換器（５１）における冷媒温度（蒸発温度）が−４０℃となり、上記冷蔵熱交換器（４５）における冷媒温度（蒸発温度）が−１０℃となる。
【００７４】
この冷凍運転時には、例えば、第１の低圧圧力センサ（６５）が検出する低圧冷媒圧力（ＬＰ）に基づいて第１ノンインバータ圧縮機（２Ｂ）の起動と停止やインバータ圧縮機（２Ａ）の起動、停止または容量制御を行い、冷凍負荷に応じた運転を行う。
【００７５】
〈第１冷房冷凍運転〉
この第１冷房冷凍運転は、室内ユニット（１Ｂ）の冷房と冷蔵ユニット（１Ｃ）及び冷凍ユニット（１Ｄ）の冷却とを同時に行う運転である。この第１冷房冷凍運転時は、図４に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）及び第２ノンインバータ圧縮機（２Ｃ）を駆動すると共に、ブースタ圧縮機（５３）も駆動する。
【００７６】
また、第１四路切換弁（３Ａ）、第２四路切換弁（３Ｂ）及び第３四路切換弁（３Ｃ）は、図４の実線で示すように、それぞれ第１の状態に切り換わる。さらに、室内膨張弁（４２）、冷蔵膨張弁（４６）及び冷凍膨張弁（５２）が所定開度に開口される一方、室外膨張弁（２６）は閉鎖している。
【００７７】
この状態において、インバータ圧縮機（２Ａ）と第１ノンインバータ圧縮機（２Ｂ）と第２ノンインバータ圧縮機（２Ｃ）から吐出した冷媒は、高圧ガス管（８）で合流し、第１四路切換弁（３Ａ）から室外ガス管（９）を経て室外熱交換器（４）に流れて凝縮する。凝縮した液冷媒は、液管（１０）を流れ、レシーバ（１４）を経て第１連絡液管（１１）と第２連絡液管（１２）とに分かれて流れる。
【００７８】
上記第２連絡液管（１２）を流れる液冷媒は、室内膨張弁（４２）を経て室内熱交換器（４１）に流れて蒸発する。蒸発したガス冷媒は、連絡ガス管（１７）から第１四路切換弁（３Ａ）及び第２四路切換弁（３Ｂ）を経て吸入管（６ｃ）を流れて第２ノンインバータ圧縮機（２Ｃ）に戻る。
【００７９】
一方、上記第１連絡液管（１１）を流れる液冷媒の一部が冷蔵膨張弁（４６）を経て冷蔵熱交換器（４５）に流れて蒸発する。また、上記第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００８０】
上記冷蔵熱交換器（４５）で蒸発したガス冷媒とブースタ圧縮機（５３）から吐出されたガス冷媒とは、低圧ガス管（１５）で合流し、インバータ圧縮機（２Ａ）及び第１ノンインバータ圧縮機（２Ｂ）に戻る。
【００８１】
冷媒が以上のように循環を繰り返すことにより、店内が冷房されると同時に、冷蔵用ショーケースと冷凍用ショーケースの庫内が冷却される。
【００８２】
〈第２冷房冷凍運転〉
第２冷房冷凍運転は、上記第１冷房冷凍運転時の室内ユニット（１Ｂ）の冷房能力が不足した場合の運転であり、第１ノンインバータ圧縮機（２Ｂ）を空調側に切り換えた運転である。この第２冷房冷凍運転時の設定は、図５に示すように、基本的に第１冷房冷凍運転時と同様であるが、第３四路切換弁（３Ｃ）が第２の状態に切り換わる点が第１冷房冷凍運転と異なる。
【００８３】
したがって、この第２冷房冷凍運転時においては、第１冷房冷凍運転と同様に、インバータ圧縮機（２Ａ）、第１ノンインバータ圧縮機（２Ｂ）及び第２ノンインバータ圧縮機（２Ｃ）から吐出した冷媒は、室外熱交換器（４）で凝縮し、室内熱交換器（４１）と冷蔵熱交換器（４５）と冷凍熱交換器（５１）で蒸発する。
【００８４】
そして、上記室内熱交換器（４１）で蒸発した冷媒は、第１ノンインバータ圧縮機（２Ｂ）及び第２ノンインバータ圧縮機（２Ｃ）に戻り、冷蔵熱交換器（４５）及び冷凍熱交換器（５１）で蒸発した冷媒は、インバータ圧縮機（２Ａ）に戻ることになる。空調側に２台の圧縮機（２Ｂ，２Ｃ）を使うことで、冷房能力の不足が補われる。
【００８５】
〈暖房運転〉
この暖房運転は、室内ユニット（１Ｂ）の暖房のみを行う運転である。この暖房運転時は、図６に示すように、インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する。そして、上記第２系統の圧縮機構（２Ｅ）である第１ノンインバータ圧縮機（２Ｂ）及び第２ノンインバータ圧縮機（２Ｃ）のみを駆動する。
【００８６】
また、図６の実線で示すように、第１四路切換弁（３Ａ）は第２の状態に切り換わり、第２四路切換弁（３Ｂ）は第１の状態に切り換わり、第３四路切換弁（３Ｃ）は第２の状態に切り換わる。一方、冷蔵膨張弁（４６）及び冷凍膨張弁（５２）は閉鎖している。
【００８７】
この状態において、第１ノンインバータ圧縮機（２Ｂ）及び第２ノンインバータ圧縮機（２Ｃ）から吐出した冷媒は、第１四路切換弁（３Ａ）から連絡ガス管（１７）を経て室内熱交換器（４１）に流れて凝縮する。凝縮した液冷媒は、第２連絡液管（１２）を流れ、分岐液管（３６）からレシーバ（１４）に流入する。その後、上記液冷媒は、補助液管（２５）の室外膨張弁（２６）を経て室外熱交換器（４）に流れて蒸発する。蒸発したガス冷媒は、室外ガス管（９）から第１四路切換弁（３Ａ）及び第２四路切換弁（３Ｂ）を経て第２ノンインバータ圧縮機（２Ｃ）の吸入管（６ｃ）を流れ、第１ノンインバータ圧縮機（２Ｂ）及び第２ノンインバータ圧縮機（２Ｃ）に戻る。この循環を繰り返し、室内が暖房される。
【００８８】
なお、冷房運転と同様、圧縮機（２Ｂ，２Ｃ）は１台で運転することも可能である。
【００８９】
〈第１暖房冷凍運転〉
この第１暖房冷凍運転は、室外熱交換器（４）を用いず、室内ユニット（１Ｂ）の暖房と冷蔵ユニット（１Ｃ）及び冷凍ユニット（１Ｄ）の冷却を行う熱回収運転である。この第１暖房冷凍運転は、図７に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）及び第１ノンインバータ圧縮機（２Ｂ）を駆動すると共に、ブースタ圧縮機（５３）も駆動する。上記第２ノンインバータ圧縮機（２Ｃ）は、停止している。
【００９０】
また、図７の実線で示すように、第１四路切換弁（３Ａ）は第２の状態に切り換わり、第２四路切換弁（３Ｂ）及び第３四路切換弁（３Ｃ）は第１の状態に切り換わる。さらに、冷蔵膨張弁（４６）及び冷凍膨張弁（５２）が所定開度に開口する一方、室外膨張弁（２６）が閉鎖し、室内膨張弁（４２）は全開となる。
【００９１】
この状態において、インバータ圧縮機（２Ａ）と第１ノンインバータ圧縮機（２Ｂ）から吐出した冷媒は、第１四路切換弁（３Ａ）から連絡ガス管（１７）を経て室内熱交換器（４１）に流れて凝縮する。凝縮した液冷媒は、第２連絡液管（１２）からレシーバ（１４）を経て第１連絡液管（１１）を流れる。
【００９２】
上記第１連絡液管（１１）を流れる液冷媒の一部が冷蔵膨張弁（４６）を経て冷蔵熱交換器（４５）に流れて蒸発する。また、上記第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００９３】
上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスし、１００％の熱回収が行われる。
【００９４】
〈第２暖房冷凍運転〉
この第２暖房冷凍運転は、上記第１暖房冷凍運転時に室内ユニット（１Ｂ）の暖房能力が余る暖房の能力過剰運転である。この第２暖房冷凍運転時は、図８に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）及び第１ノンインバータ圧縮機（２Ｂ）を駆動すると共に、ブースタ圧縮機（５３）も駆動する。上記第２ノンインバータ圧縮機（２Ｃ）は、停止している。
【００９５】
この第２暖房冷凍運転は、上記第１暖房冷凍運転時において、暖房能力が余る場合の運転であり、第２四路切換弁（３Ｂ）が図８の実線で示すように第２の状態に切り換わっている他は、上記第１暖房冷凍運転と同じである。
【００９６】
したがって、インバータ圧縮機（２Ａ）と第１ノンインバータ圧縮機（２Ｂ）から吐出した冷媒の一部は、上記第１暖房冷凍運転と同様に室内熱交換器（４１）に流れて凝縮する。凝縮した液冷媒は、第２連絡液管（１２）から分岐液管（３６）を経てレシーバ（１４）へ流れ、第１連絡液管（１１）を流れる。
【００９７】
一方、上記インバータ圧縮機（２Ａ）と第１ノンインバータ圧縮機（２Ｂ）から吐出した他の冷媒は、補助ガス管（１９）から第２四路切換弁（３Ｂ）及び第１四路切換弁（３Ａ）を経て室外ガス管（９）を流れ、室外熱交換器（４）で凝縮する。この凝縮した液冷媒は、液管（１０）を流れ、第２連絡液管（１２）からの液冷媒と合流してレシーバ（１４）に流れ、第１連絡液管（１１）を流れる。
【００９８】
その後、上記第１連絡液管（１１）を流れる液冷媒の一部が冷蔵熱交換器（４５）に流れて蒸発する。また、上記第１連絡液管（１１）を流れる他の液冷媒は、冷凍熱交換器（５１）に流れて蒸発し、ブースタ圧縮機（５３）に吸入される。上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスせず、余る凝縮熱を室外熱交換器（４）で室外に放出する。
【００９９】
〈第３暖房冷凍運転〉
この第３暖房冷凍運転は、上記第１暖房冷凍運転時に室内ユニット（１Ｂ）の暖房能力が不足する暖房の能力不足運転である。この第３暖房冷凍運転は、図９に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）、及び第２ノンインバータ圧縮機（２Ｃ）を駆動すると共に、ブースタ圧縮機（５３）も駆動する。
【０１００】
この第３暖房冷凍運転は、上記第１暖房冷凍運転時において、暖房能力が不足する場合の運転で、つまり、蒸発熱量が不足している場合であり、室外膨張弁（２６）の開度が制御され、第２ノンインバータ圧縮機（２Ｃ）が駆動されている点の他は、上記第１暖房冷凍運転と同じである。
【０１０１】
したがって、インバータ圧縮機（２Ａ）と第１ノンインバータ圧縮機（２Ｂ）と第２ノンインバータ圧縮機（２Ｃ）から吐出した冷媒は、上記第１暖房冷凍運転と同様に連絡ガス管（１７）を経て室内熱交換器（４１）に流れて凝縮する。凝縮した液冷媒は、第２連絡液管（１２）から分岐液管（３６）を介してレシーバ（１４）に流れる。
【０１０２】
その後、レシーバ（１４）からの液冷媒の一部は、第１連絡液管（１１）を流れ、該第１連絡液管（１１）を流れる液冷媒の一部が冷蔵熱交換器（４５）に流れて蒸発する。また、上記第１連絡液管（１１）を流れる他の液冷媒は、冷凍熱交換器（５１）に流れて蒸発し、ブースタ圧縮機（５３）に吸入される。上記冷蔵熱交換器（４５）で蒸発したガス冷媒とブースタ圧縮機（５３）から吐出したガス冷媒とは、低圧ガス管（１５）で合流し、インバータ圧縮機（２Ａ）と第１ノンインバータ圧縮機（２Ｂ）に戻る。
【０１０３】
一方、上記レシーバ（１４）からの他の液冷媒は、液管（１０）を経て室外熱交換器（４）に流れ、蒸発する。蒸発したガス冷媒は、室外ガス管（９）を流れ、第１四路切換弁（３Ａ）及び第２四路切換弁（３Ｂ）を経て第２ノンインバータ圧縮機（２Ｃ）の吸入管（６ｃ）を流れ、該第２ノンインバータ圧縮機（２Ｃ）に戻る。
【０１０４】
この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスせず、不足する蒸発熱を室外熱交換器（４）から得る。
【０１０５】
〈冷媒回収運転〉
次に、本願発明の特徴とする冷媒回収の動作について図１０及び図１１に基づき説明する。
【０１０６】
先ず、図１０は、冷却運転時の冷媒回収動作を示している。具体的に、図３に示すように、室内熱交換器（４１）が冷房運転を停止した冷凍運転において、冷却回収手段（８１）が冷媒回収を行う。また、図４に示すように、第１冷房冷凍運転時に室内熱交換器（４１）が冷房運転を停止した場合（所謂サーモオフした状態）、図３に示す冷媒循環となり、冷却回収手段（８１）が冷媒回収を行う。この冷却回収手段（８１）は、例えば、図１０の判定を１時間に１回行う。
【０１０７】
先ず、ステップＳＴ１において、余剰冷媒回収中フラグ１が零か否かを判定する。余剰冷媒回収中フラグ１は、回収運転を行う場合にセットされるので、零のリセット状態では、ステップＳＴ２に移る。このステップＳＴ２において、運転モードが２９，３０及び３５に設定された状態で、且つ空調サーモがオフしている状態か否かを判定する。つまり、冷媒循環が図３に示す状態か否かを判定する。冷媒循環が図３に示す状態の場合、第２ノンインバータ圧縮機（２Ｃ）が停止している。
【０１０８】
この冷媒循環が図３に示す状態の場合、上記ステップＳＴ２からステップＳＴ３に移り、第２ノンインバータ圧縮機（２Ｃ）が正常か否か及びガードタイマが終了しているか否かの起動可能の判定を行う。
【０１０９】
この起動が可能な場合、上記ステップＳＴ３からステップＳＴ４に移り、回収の開始条件を充足しているか否かを判定する。つまり、第１の低圧圧力センサ（６５）が正常で、この第１の低圧圧力センサ（６５）が検出する低圧冷媒圧力が４ｋｇ（３．９２ｋＰａ）より高い状態（ＬＰ１＞４）が５分以上継続し、且つ高圧圧力センサ（６１）が検出する高圧冷媒圧力が２４ｋｇ（２３．５２ｋＰａ）より低い場合（ＨＰ＜２４）、開始条件を充足していると判定する。
【０１１０】
この開始条件を充足していると、上記ステップＳＴ４からステップＳＴ５に移り、余剰冷媒回収中フラグ１をセットし（フラグ＝１）、ステップＳＴ６に移り、停止している第２ノンインバータ圧縮機（２Ｃ）を起動し、リターンする。つまり、第２ノンインバータ圧縮機（２Ｃ）の吸込側が室内熱交換器（４１）に連通ししているので、室内熱交換器（４１）に溜まり込んでいる冷媒を第２ノンインバータ圧縮機（２Ｃ）に回収し、圧縮して室外熱交換器（４）に流れる高圧冷媒に供給する。
【０１１１】
尚、上記ステップＳＴ２において、運転モードが２９等でない場合、上記ステップＳＴ３において、起動可能でない場合、及び上記ステップＳＴ４において、開始条件を充足していない場合、冷媒回収運転を行うことなくリターンする。
【０１１２】
一方、上記ステップＳＴ１において、余剰冷媒回収中フラグ１が零でなく、冷媒回収運転中であると、ステップＳＴ７に移り、回収の終了条件を充足しているか否かを判定する。
【０１１３】
つまり、圧力スイッチ（６４）が作動した場合、冷蔵ユニット（１Ｃ）又は冷凍ユニット（１Ｄ）が運転を停止（サーモオフ）した場合、室内ユニット（１Ｂ）が運転（サーモオン）した場合、高圧圧力センサ（６１）が検出する高圧冷媒圧力が２６ｋｇ（２５．４８ｋＰａ）より高くなった場合（ＨＰ＞２６）、第１の低圧圧力センサ（６５）が検出する低圧冷媒圧力が２ｋｇ（１．９６ｋＰａ）より低くなった場合（ＬＰ１＜２．０）、吐出温度センサ（６２）が検出する高圧冷媒温度が９０度より高くなった場合（Ｔｄ＞９０）、第１の低圧圧力センサ（６５）が異常となった場合、タイマが２分以上経過した場合の何れかが充足すると、終了条件となる。特に、上記第１の低圧圧力センサ（６５）が検出する低圧冷媒圧力が２ｋｇ（１．９６ｋＰａ）より低くなった場合、冷媒回収を終了する。
【０１１４】
そして、上記終了条件を充足すると、ステップＳＴ７からステップＳＴ８に移り、余剰冷媒回収中フラグ１をリセットし、ステップＳＴ９に移り、室内ユニット（１Ｂ）の運転条件（サーモオン条件）を充足しているか否かを判定する。その後、室内ユニット（１Ｂ）の運転条件（サーモオン条件）を充足していない場合、ステップＳＴ９ステップＳＴ１０に移り、第２ノンインバータ圧縮機（２Ｃ）を停止し、リターンする。
【０１１５】
一方、上記ステップＳＴ７で終了条件を充足していない場合は、そのままリターンし、冷媒回収を継続する。また、上記ステップＳＴ９で室内ユニット（１Ｂ）の運転条件（サーモオン条件）を充足している場合、そのまま第２ノンインバータ圧縮機（２Ｃ）を運転する。つまり、図４に示す運転が行われる。
【０１１６】
次に、図１１は、暖房運転時の冷媒回収動作を示している。具体的に、図７に示すように、室外熱交換器（４）が運転を停止した暖房運転において、暖房回収手段（８２）が冷媒回収を行う。この暖房回収手段（８２）は、例えば、図１１の判定を１時間に１回行う。尚、この図１１の回収運転は、図１０の回収運転とほぼ同様に行われる。
【０１１７】
先ず、ステップＳＴ２１において、余剰冷媒回収中フラグ２が零か否かを判定する。余剰冷媒回収中フラグ２は、回収運転を行う場合にセットされるので、零のリセット状態では、ステップＳＴ２２に移る。このステップＳＴ２２において、運転モードが６４Ａ，６５Ａ及び７０Ａに設定された状態で、且つ空調サーモがオンしている状態か否かを判定する。つまり、冷媒循環が図７に示す状態か否かを判定する。冷媒循環が図７に示す状態の場合、第２ノンインバータ圧縮機（２Ｃ）が停止している。
【０１１８】
この冷媒循環が図７に示す状態の場合、上記ステップＳＴ２２からステップＳＴ２３に移り、第２ノンインバータ圧縮機（２Ｃ）が正常か否か及びガードタイマが終了しているか否かの起動可能の判定を行う。
【０１１９】
この起動が可能な場合、上記ステップＳＴ２３からステップＳＴ２４に移り、回収の開始条件を充足しているか否かを判定する。つまり、第１の低圧圧力センサ（６５）が正常で、この第１の低圧圧力センサ（６５）が検出する低圧冷媒圧力が３ｋｇ（３．０６ｋＰａ）より高く（ＬＰ１＞３）、更に第１の低圧圧力センサ（６５）が検出する低圧冷媒圧力が室外空気温度の相当飽和圧力から０．１ｋｇ（０．０９８ｋＰａ）を減算した上限値より高い状態が５分以上継続し、且つ高圧圧力センサが検出する高圧冷媒圧力が２４ｋｇ（２３．５２ｋＰａ）より低い場合（ＨＰ＜２４）、開始条件を充足していると判定する。
【０１２０】
この開始条件を充足していると、上記ステップＳＴ２４からステップＳＴ２５に移り、余剰冷媒回収中フラグ２をセットし（フラグ＝１）、ステップＳＴ２６に移り、停止している第２ノンインバータ圧縮機（２Ｃ）を起動し、リターンする。つまり、第２ノンインバータ圧縮機（２Ｃ）の吸込側が室外熱交換器（４）に連通ししているので、室外熱交換器（４）に溜まり込んでいる冷媒を第２ノンインバータ圧縮機（２Ｃ）に回収し、圧縮して室内熱交換器（４１）に流れる高圧冷媒に供給する。
【０１２１】
尚、上記ステップＳＴ２２において、運転モードが６４Ａ等でない場合、上記ステップＳＴ２３において、起動可能でない場合、及び上記ステップＳＴ２４において、開始条件を充足していない場合、冷媒回収運転を行うことなくリターンする。
【０１２２】
一方、上記ステップＳＴ２１において、余剰冷媒回収中フラグ２が零でなく、冷媒回収運転中であると、ステップＳＴ２７に移り、回収の終了条件を充足しているか否かを判定する。
【０１２３】
つまり、圧力スイッチ（６４）が作動した場合、冷蔵ユニット（１Ｃ）又は冷凍ユニット（１Ｄ）が運転を停止（サーモオフ）した場合、室内ユニット（１Ｂ）が運転を停止（サーモオフ）した場合、高圧圧力センサ（６１）が検出する高圧冷媒圧力が２６ｋｇ（２５．４８ｋＰａ）より高くなった場合（ＨＰ＞２６）、第１の低圧圧力センサ（６５）が検出する低圧冷媒圧力が２ｋｇ（１．９６ｋＰａ）より低くなった場合（ＬＰ１＜２．０）、吐出温度センサ（６２）が検出する高圧冷媒温度が９０度より高くなった場合（Ｔｄ＞９０）、第１の低圧圧力センサ（６５）が異常となった場合、タイマが２分以上経過した場合の何れかが充足すると、終了条件となる。特に、上記第１の低圧圧力センサ（６５）が検出する低圧冷媒圧力が２ｋｇ（１．９６ｋＰａ）より低くなった場合、冷媒回収を終了する。
【０１２４】
そして、上記終了条件を充足すると、ステップＳＴ２７からステップＳＴ２８に移り、余剰冷媒回収中フラグ２をリセットし、ステップＳＴ２９に移り、第２ノンインバータ圧縮機（２Ｃ）を停止し、リターンする。
【０１２５】
〈実施形態の効果〉
以上のように、本実施形態によれば、冷媒回収を行うようにしたために、冷媒が循環していない室内熱交換器（４１）又は室外熱交換器（４）に溜まり込んだ冷媒を回収することができるので、冷媒不足を確実に防止することができる。
【０１２６】
この結果、省冷媒化を図ることができると同時に、冷媒不足を防止して正常な運転を継続することができる。
【０１２７】
特に、冷凍運転時に室内熱交換器（４１）に溜まり込む冷媒を回収することができるので、正常な冷凍運転を継続することができる。
【０１２８】
また、上記第１暖房冷凍運転時に室外熱交換器（４）に溜まり込む冷媒を回収することができるので、正常な冷却運転を継続することができる。
【０１２９】
また、室外空気温度相当飽和圧力に基づいて冷媒回収の判定を行うので、冷媒回収を正確に行うことができる。つまり、冷媒が室外熱交換器（４）に溜まり込む条件が室外空気温度によって異なることから、室外空気温度を加味して確実に冷媒回収の判定を行うことができる。
【０１３０】
また、上記圧縮機構（２Ｄ，２Ｅ）の吸込側の低圧冷媒圧力が所定の下限値より低下すると、冷媒回収を終了するので、無用な冷媒回収運転を防止することができる。
【０１３１】
【発明の他の実施の形態】
上記実施形態においては、３台の圧縮機（２Ａ，２Ｂ，２Ｃ）を備えたものとしたが、本発明では、第１ノンインバータ圧縮機（２Ｂ）を備えていなくともよい。
【０１３２】
また、本発明は、冷蔵ユニット（１Ｃ）又は冷凍ユニット（１Ｄ）の何れか１つの備えていればよく、また逆に、冷蔵ユニット（１Ｃ）又は冷凍ユニット（１Ｄ）は、複数台備えているものであってもよい。
【０１３３】
【発明の効果】
したがって、本発明によれば、冷媒回収を行うようにしたために、冷媒が循環していない熱交換器（４１，４）に溜まり込んだ冷媒を回収することができるので、冷媒不足を確実に防止することができる。
【０１３４】
この結果、省冷媒化を図ることができると同時に、冷媒不足を防止して正常な運転を継続することができる。
【０１３５】
特に、請求項１に係る発明によれば、冷却運転時に室内熱交換器（４１）に溜まり込む冷媒を回収することができるので、正常な冷却運転を継続することができる。
【０１３６】
また、請求項２又は請求項３に係る発明によれば、暖房運転時に熱源側熱交換器（４）に溜まり込む冷媒を回収することができるので、正常な冷却運転を継続することができる。
【０１３７】
また、請求項４に係る発明によれば、室外空気温度相当飽和圧力に基づいて冷媒回収の判定を行うので、冷媒回収を正確に行うことができる。つまり、冷媒が熱源側熱交換器（４）に溜まり込む条件が室外空気温度によって異なることから、室外空気温度を加味して確実に冷媒回収の判定を行うことができる。
【０１３８】
また、請求項５又は請求項６に係る発明によれば、圧縮機構（２Ｄ，２Ｅ）の吸込側の低圧冷媒圧力が所定の下限値より低下すると、冷媒回収を終了するので、無用な冷媒回収運転を防止することができる。
【図面の簡単な説明】
【図１】本発明の実施形態に係る冷凍装置の冷媒回路図である。
【図２】冷房運転の動作を示す冷媒回路図である。
【図３】冷凍運転の動作を示す冷媒回路図である。
【図４】第１冷房冷凍運転の動作を示す冷媒回路図である。
【図５】第２冷房冷凍運転の動作を示す冷媒回路図である。
【図６】暖房運転の動作を示す冷媒回路図である。
【図７】第１暖房冷凍運転の動作を示す冷媒回路図である。
【図８】第２暖房冷凍運転の動作を示す冷媒回路図である。
【図９】第３暖房冷凍運転の動作を示す冷媒回路図である。
【図１０】冷却回収手段による冷媒回収動作を示すフロー図である。
【図１１】暖房回収手段による冷媒回収動作を示すフロー図である。
【符号の説明】
１０            冷凍装置
１Ａ            室外ユニット（熱源系統）
１Ｂ            室内ユニット（空調系統）
１Ｃ            冷蔵ユニット（冷却系統）
１Ｄ            冷凍ユニット（冷却系統）
２Ａ，２Ｂ，２Ｃ    圧縮機
２Ｄ，２Ｅ        圧縮機構
４              室外熱交換器（熱源側熱交換器）
４１            室内熱交換器
４５            冷蔵熱交換器（冷却熱交換器）
５１            冷凍熱交換器（冷却熱交換器）
８０            コントローラ
８１            冷却回収手段
８２            暖房回収手段
【図１】
2004347259.tif 000003
【図２】
2004347259.tif 000004
【図３】
2004347259.tif 000005
【図４】
2004347259.tif 000006
【図５】
2004347259.tif 000007
【図６】
2004347259.tif 000008
【図７】
2004347259.tif 000009
【図８】
2004347259.tif 000010
【図９】
2004347259.tif 000011
【図１０】
2004347259.tif 000012
【図１１】
2004347259.tif 000013